(57)【要約】      （修正有）【課題】複数の線によって形成されるパターンの配置の自由度を大きくしたパターン形成体、カード、印刷物を提供する。【解決手段】カードは、複数の微小文字６１が配列され、淡線により形成される淡線部と、濃線により形成される濃線部とを有する微小パターン６０と、微小パターン６０の濃線部によって形成される大パターン７０と、を備える。これにより、複数の線によって形成されるパターンの配置の自由度を大きくすることができる。【選択図】図１Ｄ
2017128118.tif 000002
【特許請求の範囲】
【請求項１】
濃淡が淡い淡線部により形成される複数の第１パターン要素が配列された第１パターンと、
前記第１パターン要素よりも濃淡が濃い濃線部により形成される複数の第２パターン要素が配列された第２パターンと、
を備え、
前記第１パターン及び前記第２パターンは、いずれも文字を含むパターン形成体。
【請求項２】
複数の第１パターン要素が配列され、濃淡が淡い淡線により形成される淡線部と、前記淡線部よりも濃淡が濃い濃線により形成される濃線部とを有する第１パターンと、
前記第１パターンの前記濃線部によって形成される第２パターンと、
を備えるパターン形成体。
【請求項３】
請求項２に記載のパターン形成体において、
前記第２パターンの輪郭に配置された前記第１パターン要素は、１つの前記第１パターン要素内において、前記淡線部、前記濃線部を備えること、
を特徴とするパターン形成体。
【請求項４】
請求項２又は請求項３に記載のパターン形成体において、
前記第２パターンの輪郭の周囲に配置された前記第１パターン要素の濃淡は、均一であること、
を特徴とするパターン形成体。
【請求項５】
請求項１から請求項４のいずれかに記載のパターン形成体において、
前記第１パターン要素の形状は、肉眼では判別できない程度に微小であること、
を特徴とするパターン形成体。
【請求項６】
請求項１から請求項５のいずれかに記載のパターン形成体において、
前記濃線部の線の太さは、前記淡線部の線の太さよりも太いこと、
を特徴とするパターン形成体。
【請求項７】
請求項１から請求項６のいずれかに記載のパターン形成体が基材に形成されていることを特徴とするカード。
【請求項８】
請求項１から請求項６のいずれかに記載のパターン形成体が基材に形成されていることを特徴とする印刷物。
【発明の詳細な説明】
【技術分野】
【０００１】
本発明は、２種類のパターンを有するパターン形成体、カード、印刷物に関するものである。
【背景技術】
【０００２】
従来、複数配列された文字のうち、一部の文字の太さを、他の文字の太さと変えることにより、認証情報を設けた印刷物があった（例えば特許文献１）。
しかし、従来の印刷物は、文字単位で線の太さを変えるため、認証情報の配置の自由度が小さかった。
【先行技術文献】
【特許文献】
【０００３】
【特許文献１】特開２００４−１８５１２６号公報
【発明の概要】
【発明が解決しようとする課題】
【０００４】
本発明の課題は、複数の線によって形成されるパターンの配置の自由度を大きくしたパターン形成体、カード、印刷物を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、濃淡が淡い淡線部により形成される複数の第１パターン（３６１）要素が配列された第１パターン（３６０）と、前記第１パターン要素よりも濃淡が濃い濃線部により形成される複数の第２パターン要素（３８１）が配列された第２パターン（３７０）と、を備え、前記第１パターン及び前記第２パターンは、いずれも文字を含むパターン形成体である。
・第２の発明は、複数の第１パターン要素（６１，６１ａ，２６１）が配列され、濃淡が淡い淡線により形成される淡線部（６５，２６５）と、前記淡線部よりも濃淡が濃い濃線により形成される濃線部（６６，２６６）とを有する第１パターン（６０，２６０）と、
前記第１パターンの前記淡線部、前記濃線部によって形成される第２パターン（７０，２７０）と、を備えるパターン形成体である。
・第３の発明は、第２の発明のパターン形成体において、前記第２パターン（７０，２７０）の輪郭に配置された前記第１パターン要素（６１，６１ａ，２６１）は、１つの前記第１パターン要素内において、前記淡線部（６５，２６５）、前記濃線部（６６，２６６）を備えること、を特徴とするパターン形成体である。
・第４の発明は、第２又は第３の発明のパターン形成体において、前記第２パターン（７０，２７０）の輪郭の周囲に配置された前記第１パターン要素（６１，６１ａ，２６１）の濃淡は、均一であること、を特徴とするパターン形成体である。
・第５の発明は、第１から第４のいずれかの発明のパターン形成体において、前記第１パターン要素（６１，６１ａ，２６１）の形状は、肉眼では判別できない程度に微小であること、を特徴とするパターン形成体である。
・第６の発明は、第１から第５のいずれかの発明のパターン形成体において、前記濃線部（２６６）の線の太さは、前記淡線部（２６５）の線の太さよりも太いこと、を特徴とするパターン形成体である。
・第７の発明は、第１から第６のいずれかの発明のパターン形成体において、このパターン形成体は、カード（１）であること、を特徴とするパターン形成体である。
・第８の発明は、第１から第６のいずれかの発明のパターン形成体が基材に形成されていることを特徴とする印刷物である。
【発明の効果】
【０００７】
本発明によれば、複数の線によって形成されるパターンの配置の自由度を大きくしたパターン形成体、カード、印刷物を提供できる。
【図面の簡単な説明】
【０００８】
【図１Ａ】カード１を上面から見た図である。
【図１Ｂ】カード１の断面図である。
【図１Ｃ】図１Ａの範囲Ｃの拡大図であり、
【図１Ｄ】１つ分の大パターン７０の範囲を示す図である。
【図１Ｅ】大パターン７０の文字「Ｊ」の近傍の範囲を、拡大して示す図である。
【図２】第２実施形態のカードの大パターン２７０の文字「Ｊ」の近傍の範囲を、拡大して示す図である。
【図３】第３実施形態のカードの大パターン３７０の文字「Ｊ」の近傍の範囲を、拡大して示す図である。
【図４】パターン４５０を説明する図である。
【図５】１つ分の大パターン４７０の範囲を示す図である。
【発明を実施するための形態】
【０００９】
（実施形態）
以下、図面等を参照して、本発明の実施形態について説明する。
（第１実施形態）
図１は、第１実施形態のカード１を示す図である。
図１Ａは、カード１を上面から見た図である。
なお、図１Ａには、パターン印刷層２０の印刷は、範囲Ｃの矩形内のみ図示するが、実際には、基材１０上の全面に設けられている。
図１Ｂは、カード１の断面図（図１ＡのＢ−Ｂ部断面図）である。
図１Ｃは、図１Ａの範囲Ｃの拡大図であり、パターン印刷層２０によって形成されるパターン５０を説明する図である。
図１Ｄは、１つ分の大パターン７０（つまり１組の「ＪＡＰＡＮ」の文字）の範囲を示す図である。
図１Ｅは、大パターン７０の文字「Ｊ」の近傍の範囲を、拡大して示す図である。
図１Ｄ、図１Ｅは、大パターン７０の観察態様を説明するために、大パターン７０の輪郭を実線で示す。
なお、図１Ｄ、図１Ｅの二点鎖線、大パターン７０の輪郭の実線、微小文字６１を説明する円の図形等は、便宜上示すものであり、実際には形成されない。
実施形態、図面では、説明と理解を容易にするために、ＸＹＺ直交座標系を設けて説明する。この座標系は、図１Ａの状態を基準に、左右方向Ｘ（左側Ｘ１、右側Ｘ２）、縦方向Ｙ（下側Ｙ１、上側Ｙ２）、厚さ方向Ｚ（下側Ｚ１、上側Ｚ２）を表す。
図面では、適宜、厚さ方向Ｚの構成を誇張して図示する。
【００１０】
図１Ａ、図１Ｂに示すように、カード１（パターン形成体）は、クレジットカード、身分証明証、銀行のキャッシュカード等に利用するものである。
カード１は、基材１０、パターン印刷層２０、上透明層３０、上印刷層３１、下透明層４０、下印刷層４１を備える。
基材１０の上側Ｚ２には、パターン印刷層２０、上透明層３０、上印刷層３１が、下側Ｚ１から上側Ｚ２に向けてこの順番で積層されている。基材１０の下側Ｚ１には、下透明層４０、下印刷層４１が、上側Ｚ２から下側Ｚ１に向けてこの順番で積層されている。
基材１０、上透明層３０、下透明層４０は、ＰＥＴ、ＰＥＴ−Ｇ、ＰＶＣ等の樹脂シート、又はこれらの樹脂のアロイのシート材により形成される。上透明層３０、下透明層４０は、透明層である。これらの層間は、熱プレスによる熱溶着等によって接合されている。
【００１１】
基材１０は、カード１のベースとなる部材である。
パターン印刷層２０は、基材１０上に、版を用いたオフセット印刷等をすることによって積層される。カード１を上側Ｚ２から観察した状態において、パターン印刷層２０の印刷内容は、上透明層３０を透過して、視認できる。
パターン印刷層２０の詳細は、後述する。
【００１２】
上印刷層３１は、例えば、カード１の名称３１ａ等が印刷された層である。上印刷層３１は、上透明層３０上に、オフセット印刷をすることによって積層される。上印刷層３１の上側Ｚ２には、必要に応じて、透明保護層を設けてもよい。
下印刷層４１は、上印刷層３１と同様な印刷層である。
【００１３】
図１Ｃから図１Ｅを参照しながら、パターン印刷層２０によって形成されるパターン５０について、詳細に説明する。
パターン５０は、実施形態では、基材１０上の全面に形成された例を説明するが、これに限定されず、基材１０上の一部に形成されていてもよい。パターン５０は、例えば、上印刷層３１による文字等に重なる範囲には、設けなくてもよい。
パターン印刷層２０の印刷色は、基材１０上において観察可能であれば限定されない。例えば、基材１０が白色である場合には、パターン印刷層２０の印刷色は、青色の１色であってもよい。
【００１４】
図１Ｃ、図１Ｄ、図１Ｅに示すように、パターン５０は、微小パターン６０（第１パターン）、大パターン７０（第２パターン）を備える。
微小パターン６０は、複数の微小文字６１（第１パターン要素）の配列からなる。実施形態では、微小パターン６０は、「ＪＡＰＡＮ」という文字列が、縦方向Ｙ、左右方向Ｘに複数配列されている。微小文字６１は、「ＪＡＰＡＮ」の各文字である。
なお、微小パターン６０は、微小文字６１が配列されたものに限定されず、例えば、図形、記号、模様等の微小要素が配列されたもの（微小要素群）でもよい。
微小文字６１は、マイクロ文字と称されるものである。微小文字６１の文字サイズは、０．２ｍｍ程度である。このため、肉眼での等倍観察では、各文字を判別できない。微小文字６１は、例えば、ルーペ等の拡大鏡を用いた拡大観察により、判別できる。
このため、微小パターン６０は、肉眼による観察では、単なる一色の背景のように観察される。これにより、観察者は、一見では、微小パターン６０の「ＪＡＰＡＮ」の存在を気づきにくく、また、微小パターン６０は、高い印刷技術を要する。これにより、カード１は、偽造防止効果を向上できる。
また、拡大鏡による観察で、微小パターン６０の「ＪＡＰＡＮ」を観察された場合に、観察者に対して、予想外の驚きを与えることができる。
【００１５】
微小パターン６０は、淡線部６５、濃線部６６の２つの領域を備える。
濃線部６６に配置された微小文字６１の線（濃線）の濃淡は、淡線部６５に配置された微小文字６１の線（淡線）よりも濃い。淡線部６５の文字の濃淡は、少なくとも大パターン７０の輪郭の外側周囲の領域では、均一である。
濃線部６６は、「ＪＡＰＡＮ」という文字列の形状の領域である。この文字列は、縦方向Ｙ、左右方向Ｘに複数配列されている。
【００１６】
図１Ｅに示すように、大パターン７０は、濃線部６６によって形成される文字のパターンである。つまり、大パターン７０は、微小パターン６０の淡線部６５、濃線部６６の領域が、異なる領域として観察され、濃線部６６の領域の外形が識別されることにより、表現されるパターンである。大パターン７０の「ＪＡＰＡＮ」の文字形状は、濃線部６６の領域である。
大パターン７０の「ＪＡＰＡＮ」の各文字は、微小パターン６０の「ＪＡＰＡＮ」の微小文字６１よりも、文字サイズが大きく、例えば、微小文字６１の文字サイズを０．２５ｍｍとした場合、大パターン７０の文字サイズは１ｍｍ程度とすることができる。大パターン７０の「ＪＡＰＡＮ」の文字列の大きさは、例えば、左右方向Ｘの長さ×縦方向Ｙの長さが４ｍｍ×１ｍｍ程度である。このため、肉眼による等倍観察によって、大パターン７０の文字「ＪＡＰＡＮ」を判別できる。
なお、大パターン７０の「ＪＡＰＡＮ」の大きさ、微小文字６１の大きさ等は、適宜設定できる。例えば、微小文字６１の大きさ、文字間隔等は、大パターン７０の「ＪＡＰＡＮ」の文字が判別しやすいように、適宜設定することができる。
【００１７】
大パターン７０の「ＪＡＰＡＮ」の輪郭（つまり、淡線部６５、濃線部６６の境界６７）の部分を跨るように配置された微小文字６１は、１つの文字のなかに淡線部６５、濃線部６６の双方を備える。
例えば、図１Ｅに示すように、１つの微小文字６１ａである「Ｎ」は、大パターン７０の輪郭を境界６７として、淡線部６５、濃線部６６を備える。なお、図１Ｅは、淡線部６５は、輪郭線及びハッチングを用いて図示したが、実際には、輪郭線を備えず、また、淡い色で塗り潰されている。
このように、１つの微小文字６１は、淡線部６５、濃線部６６の両方を備え、また、前述したように、淡線部６５の微小文字６１の濃淡は、大パターン７０の外側周囲の領域では均一である。これにより、カード１は、大パターン７０の「ＪＡＰＡＮ」の文字の輪郭を、よりシャープに表現できる。
【００１８】
また、このように、１つの微小文字６１が淡線部６５、濃線部６６の両方を備えることにより、パターン５０の印刷には、版による印刷が必要になり、また、より高度な印刷技術が必要になるので、偽装防止効果をより向上できる。
さらに、微小文字６１を大パターン７０の輪郭を跨って配置できるので、大パターン７０の「ＪＡＰＡＮ」の配置の自由度を向上できる。
【００１９】
以上説明したように、本実施形態のカード１のパターン５０は、肉眼による観察では、大パターン７０の「ＪＡＰＡＮ」を観察できる。一方、拡大鏡による観察では、微小パターン６０の「ＪＡＰＡＮ」を観察できる。また、偽造防止効果を向上できるので、セキュリティ性を向上できる。
【００２０】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図２は、第２実施形態のカードの大パターン２７０の文字「Ｊ」の近傍の範囲を、拡大して示す図（図１Ｅに相当する図）である。
なお、カードのその他の範囲（大パターン２７０の「ＪＡＰＡＮ」の「Ｊ」以外の範囲）は、図２と同様に形成されている。
微小パターン２６０は、淡線部２６５、濃線部２６６の２つの領域を備える。大パターン２７０は、濃線部２６６によって形成される文字のパターンである。第２実施形態においては、淡線部２６５の領域における微小パターン２６０の太さＬ２６５は、濃線部２６６の領域における微小パターン２６０の太さＬ２６６よりも細く形成されている。例えば、淡線部２６５の領域における微小パターン２６０の太さＬ２６５を０．０２〜０．０４ｍｍ、濃線部２６６の領域における微小パターン２６０の太さＬ２６６を０．０４〜０．０８ｍｍとすることができる。
このため、本実施形態のカードは、大パターン２７０の文字の輪郭が明確になり、大パターン２７０を一層シャープに表現できる。
なお、大パターン２７０の輪郭に配置された微小文字２６１、すなわち大パターン２７０の輪郭に跨って配置され、一つの文字の中に淡線部２６５と濃線部２６６の両方を有する微小文字２６１のみについて、淡線部２６５の領域における太さを細く、濃線部２６６の領域における太さを太く形成しても、同様の効果が得られる。
【００２１】
（第３実施形態）
次に、本発明の第３実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図３は、第３実施形態のカードの大パターン３７０の文字「Ｊ」の近傍の範囲を、拡大して示す図（図１Ｅに相当する図）である。
なお、カードのその他の範囲（大パターン３７０の「ＪＡＰＡＮ」の各文字以外の範囲）は、図２と同様に形成されている。
【００２２】
第１微小パターン（第１パターン）３６０は、淡線により形成されている。第１微小パターン３６０は、大パターン３７０の「ＪＡＰＡＮ」の各文字以外の範囲において、第１実施形態の微小パターン６０と同様に形成されている。そして、第１実施形態の微小パターン６０と同様に、第１微小文字（第１パターン要素）３６１を配列して「ＪＡＰＡＮ」の文字を表している。
ただし、第１微小パターン３６０は、大パターン３７０の「ＪＡＰＡＮ」の各文字の範囲には、形成されていない点で、第１実施形態の微小パターン６０と異なっている。
【００２３】
大パターン（第２パターン）３７０は、濃線によって形成される第２微小パターン３８０の集まりによって形成される文字のパターンである。第２微小パターン３８０は、第２微小文字（第２パターン要素）を配列して「ＪＰＡ」の文字列を表している。第２微小パターン３８０は、第１微小パターン３６０と同様に、縦方向Ｙ、左右方向Ｘに複数配列されている。
なお、図３に示すように、第３実施形態における第２微小文字３８１は、第１微小文字３６１よりも小さな文字を用いているが、同じ大きさの文字としてもよいし、逆に大きな文字としてもよい。また、第２微小文字３８１は、第２実施形態のように太さを第１微小文字３６１とは異ならせてもよい。
【００２４】
（第４実施形態）
次に、本発明の第４実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図４は、第１実施形態の図１Ｃに相当する図であり、パターン４５０を説明する図である。
図５は、第１実施形態の図１Ｄに相当する図であり、１つ分の大パターン４７０（つまり１組の「ＪＰＮ」の文字）の範囲を示す図である。
【００２５】
第４実施形態では、図４及び図５に示すように、微小パターン２６０の文字列は、第１実施形態と同様に「ＪＡＰＡＮ」であり、大パターン２７０の文字列は、第１実施形態とは異なる「ＪＰＮ」となっている。
本実施形態のように、大パターン４７０、及び、微小パターン４６０の単語を関連性のある単語とすることにより、両者に関連性のない場合を偽造品と判断することができ、偽造防止効果をさらに向上させることができる。
ここで、関連性のある単語とは、例えば、本実施形態のように「ＪＡＰＡＮ」と「ＪＰＮ」のように、一方が略語の場合としたり、「ＪＡＰＡＮ」と「日本」のように、同一の意味を異なる言語で表したりする場合等である。
なお、本実施形態では、微小パターン２６０の文字列は、「ＪＡＰＡＮ」であり、大パターン２７０の文字列は、「ＪＰＮ」としたが、これを逆にしてもよい。すなわち、微小パターンの文字列を「ＪＰＮ」とし、大パターンの文字列を「ＪＡＰＡＮ」としてもよい。
【００２６】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００２７】
（変形形態）
（１）実施形態において、パターンは、印刷によって形成された例を示したが、これに限定されない。パターンは、形状を観察できるものであれば、いずれの方法によって形成してもよい。
２つのパターンは、例えば、エッチング、金属蒸着等によって設けてもよい。
また、パターン及びパターンを形成する物体は、平面的なものに限定されず、例えば、射出成形、プレス成形等によって、樹脂、金属等の立体的な物体の表面に立体的に形成したものでもよい。
【００２８】
（２）実施形態において、第１パターンは、肉眼では形状が判別できない微小パターンである例を示したが、これに限定されない。第１パターンは、肉眼で形状が判別できるものでもよい。
【００２９】
（３）実施形態において、パターンは、カードに設けた例を示したが、これに限定されない。パターンは、金券、証券、パスポート、紙幣等の印刷物に設けてもよい。この場合にも、パターンは、基材等に印刷等することにより形成できる。また、この場合には、これらの印刷物の偽造防止効果を向上できる。
【００３０】
（４）各実施形態において、濃線部（６６，２６６）、淡線部（６５，２６５）の形成方法については、様々な手法を用いることができるが、特に、網点印刷で形成することが好ましい。網点印刷により濃線部（６６，２６６）、淡線部（６５，２６５）を形成する場合には、例えば、濃線部（６６，２６６）の網パーセントを１００％とし、淡線部（６５，２６５）の網パーセントを４０％とするとよい。
【００３１】
（５）第１実施形態及び第２実施形態において、大パターン（７０，２７０）、及び、微小パターン（６０，２６０）が「ＪＡＰＡＮ」の文字列である場合を示した。これに限らず、大パターン（７０，２７０）、及び、微小パターン（６０，２６０）に用いる内容は適宜変更することができる。ここで、大パターン（７０，２７０）、及び、微小パターン（６０，２６０）を構成する要素が文字（例えば、アルファベット、平仮名等）である場合には、それぞれのパターンを意義のある単語から構成することにより、パターン自体に情報を付与することができるため、セキュリティ効果を向上させることができる。
【００３２】
（６）各実施形態において、淡線部を、肉眼では視認可能だが、複写が不可能な程度の濃淡としてもよい。このようにすることにより、複写による偽造を防止することができる。
【００３３】
（７）各実施形態において、濃線部と淡線部の色については、特に言及しなかったが、濃線部と淡線部、及び、微小文字同士を異なる色により形成してもよい。そのようにしても、本願の効果を得ることができる。
【００３４】
（８）第３実施形態において、第２微小パターン３８０は、第１微小パターン３６０の「ＪＡＰＡＮ」とは異なる「ＪＰＮ」により構成した例を挙げて説明した。これに限らず、例えば、第２微小パターン３８０と第１微小パターン３６０とを同じ文字内容によって構成してもよい。
【符号の説明】
【００３５】
１…カード    ２０…パターン印刷層    ５０…パターン    ６０，２６０…微小パターン    ６１，６１ａ，２６１…微小文字    ６５，２６５…淡線部    ６６，２６６…濃線部    ７０，２７０…大パターン    ３６０…第１微小パターン（第１パターン）    ３６１…第１微小文字（第１パターン要素）    ３７０…大パターン（第２パターン）    ３８０…第２微小パターン    ３８１…第２微小文字（第２パターン要素）    ４５０…パターン    ４６０…微小パターン    ４７０…大パターン
【図１Ａ】
2017128118.tif 000003
【図１Ｂ】
2017128118.tif 000004
【図１Ｃ】
2017128118.tif 000005
【図１Ｄ】
2017128118.tif 000006
【図１Ｅ】
2017128118.tif 000007
【図２】
2017128118.tif 000008
【図３】
2017128118.tif 000009
【図４】
2017128118.tif 000010
【図５】
2017128118.tif 000011